(57)【要約】【課題】黒文字等に重なる消去すべき背景画像情報を所定パターンで消去することで、高品位な画像形成を行うことができるプリンタ装置を提供する。【解決手段】与えられるＰＤＬ情報で画像形成を行うプリンタ装置であり、ＰＤＬ情報から背景画像情報と黒画素で描画される黒画像情報とを生成する生成部と、この背景画像情報から黒画像情報の領域に重なる画像情報の一部を特定パターンに応じて消去する消去部と、一部が消去された背景画像情報と黒画像情報とに基づいて画像形成を行う形成部とを有している。【選択図】    図１
2005039422.tif 000002
【特許請求の範囲】
【請求項１】
与えられるＰＤＬ情報で画像形成を行うプリンタ装置であり、
ＰＤＬ情報から背景画像情報と黒画素で描画される黒画像情報とを生成する生成部と、
前記生成部で生成された前記背景画像情報から前記黒画像情報の領域に重なる画像情報の一部を特定パターンに応じて消去する消去部と、
前記一部が消去された前記背景画像情報と前記黒画像情報とに基づき、記録媒体上に画像形成を行う形成部とを具備することを特徴とするプリンタ装置。
【請求項２】
前記消去部は、前記背景画像情報から前記黒画像情報の領域に重なる画像情報のうち、前記記録媒体の送り方向に垂直な主走査方向のラインによる、消去するラインと非消去のラインとが反復するパターンに従って消去することを特徴とする請求項１記載のプリンタ装置。
【請求項３】
前記消去部は、前記背景画像情報から前記黒画像情報の領域に重なる画像情報のうち、前記記録媒体の送り方向に並行な副走査方向のラインによる、消去するラインと非消去のラインとが反復するパターンに従って消去することを特徴とする請求項１記載のプリンタ装置。
【請求項４】
前記消去部は、前記背景画像情報から前記黒画像情報の領域に重なる画像情報のうち、演算処理により得られる特定パターンが示す画像情報を消去することを特徴とする請求項１記載のプリンタ装置。
【請求項５】
前記消去部は、前記画像記録媒体の種類を検知して、この種別に応じて、前記背景画像情報から前記黒画像情報の領域に重なる画像情報の一部を消去するパターンを決定しこのパターンに応じて消去することを特徴とする請求項１記載のプリンタ装置。
【請求項６】
前記消去部は、前記背景画像情報のハーフトーン情報を検知して、この種別に応じて、前記背景画像情報から前記黒画像情報の領域に重なる画像情報の一部を消去するパターンを決定しこのパターンに応じて消去することを特徴とする請求項１記載のプリンタ装置。
【請求項７】
前記消去部は、画像形成に用いる色変換テーブル種別を検知して、この種別に応じて、前記背景画像情報から前記黒画像情報の領域に重なる画像情報の一部を消去するパターンを決定しこのパターンに応じて消去することを特徴とする請求項１記載のプリンタ装置。
【請求項８】
前記消去部は、描画される画素の絶対座標に基づいて、前記背景画像情報から前記黒画像情報の領域に重なる画像情報の一部を消去するパターンを決定しこのパターンに応じて消去することを特徴とする請求項１記載のプリンタ装置。
【請求項９】
前記消去部は、前記記録媒体上の印字方向を検知し、この印字方向に基づいて、前記背景画像情報から前記黒画像情報の領域に重なる画像情報の一部を消去するパターンを決定しこのパターンに応じて消去することを特徴とする請求項１記載のプリンタ装置。
【請求項１０】
与えられるＰＤＬ情報で画像形成を行う画像形成装置に処理を行わすプログラムであり、
ＰＤＬ情報から背景画像情報と黒画素で描画される黒画像情報とを生成し、
前記生成された前記背景画像情報から前記黒画像情報の領域に重なる画像情報の一部を消去し、
前記一部が消去された前記背景画像情報と前記黒画像情報とに基づき、記録媒体上に画像形成することを特徴とするプログラム。
【請求項１１】
前記消去処理は、前記背景画像情報から前記黒画像情報の領域に重なる画像情報のうち、前記記録媒体の送り方向に垂直な主走査方向又は副走査方向のラインによる、消去するラインと非消去のラインとが反復するパターンに従って消去することを特徴とする請求項１０記載のプログラム。
【請求項１２】
前記消去処理は、前記画像記録媒体の種類を検知して、この種別に応じて、前記背景画像情報から前記黒画像情報の領域に重なる画像情報の一部を消去するパターンを決定しこのパターンに応じて消去することを特徴とする請求項１０記載のプログラム。
【請求項１３】
前記消去処理は、前記背景画像情報のハーフトーン情報を検知して、この種別に応じて、前記背景画像情報から前記黒画像情報の領域に重なる画像情報の一部を消去するパターンを決定しこのパターンに応じて消去することを特徴とする請求項１０記載のプログラム。
【請求項１４】
前記消去処理は、画像形成に用いる色変換テーブル種別を検知して、この種別に応じて、前記背景画像情報から前記黒画像情報の領域に重なる画像情報の一部を消去するパターンを決定しこのパターンに応じて消去することを特徴とする請求項１０記載のプログラム。
【請求項１５】
前記消去処理は、描画される画素の絶対座標に基づいて、前記背景画像情報から前記黒画像情報の領域に重なる画像情報の一部を消去するパターンを決定しこのパターンに応じて消去することを特徴とする請求項１０記載のプログラム。
【請求項１６】
与えられるＰＤＬ情報で画像形成を行う画像形成装置であり、
ＰＤＬ情報から背景画像情報と黒画素で描画される黒画像情報とを生成する生成部と、
前記生成部で生成された前記背景画像情報から前記黒画像情報の領域に重なる画像情報の一部を消去する消去部と、
前記一部が消去された前記背景画像情報と前記黒画像情報とに基づき、記録媒体上に画像形成を行う形成部とを具備することを特徴とする画像形成装置。
【請求項１７】
前記消去部は、前記画像記録媒体の種類を検知して、この種別に応じて、前記背景画像情報から前記黒画像情報の領域に重なる画像情報の一部を消去するパターンを決定しこのパターンに応じて消去することを特徴とする請求項１６記載の画像形成装置。
【請求項１８】
前記消去部は、前記背景画像情報のハーフトーン情報を検知して、この種別に応じて、前記背景画像情報から前記黒画像情報の領域に重なる画像情報の一部を消去するパターンを決定しこのパターンに応じて消去することを特徴とする請求項１６記載の画像形成装置。
【請求項１９】
前記消去部は、画像形成に用いる色変換テーブル種別を検知して、この種別に応じて、前記背景画像情報から前記黒画像情報の領域に重なる画像情報の一部を消去するパターンを決定しこのパターンに応じて消去することを特徴とする請求項１６記載の画像形成装置。
【請求項２０】
前記消去部は、描画される画素の絶対座標に基づいて、前記背景画像情報から前記黒画像情報の領域に重なる画像情報の一部を消去するパターンを決定しこのパターンに応じて消去することを特徴とする請求項１６記載の画像形成装置。
【発明の詳細な説明】
【０００１】
【発明の属する技術分野】
この発明は、ブラックオーバープリント手法を用いるプリンタ装置と、画像形成装置、及びプリンタ装置のプログラムに関する。
【０００２】
【従来の技術】
最近、デジタル複写機等の画像形成装置の性能向上に伴い、複写機能だけに止まらず、プリンタとしての機能も併せもった総合デジタル機器が開発され普及してきている。このような画像形成装置においては、非常に高品質な画像形成がなされる一方、様々な要求に適正に対応する付加機能が要望されている。
【０００３】
例えば、従来の画像形成装置においては、黒文字や黒線等の版ズレによる白抜けを防止する方法として、トラッピング手法（色の境界部分を互いに重なる様に印刷する方法）やブラックオーバープリント手法（黒色を他の色に重ねて印刷する方法）を用いる例が知られている（例えば、特許文献１参照）。すなわち、ＣＭＹＫ（シアン、マゼンタ、イエロー、ブラック）トナー４色を重ねてカラー印刷を行うカラープリンタでは、わずかではあるが各色の印字位置にズレが生じることがある。そのため濃い色の背景に黒文字や黒線を印字する場合、版ズレが生じるとトナーが無い部分ができ白抜けとなり見苦しい印刷物となってしまう。その対策としてブラックオーバープリント等の手法が使用される。しかし、単純に印刷媒体に使用すると、定着できるトナー量の制限値を超えてしまい、トナー剥がれやドラムへの巻き付き等が生じるため、ここでは、背景色の画像情報から４色中の１色を抜くという方法により、トナー量を抑制している。
【０００４】
【特許文献１】
ＵＳ特許公報５９２３８２１号公報、Ｄａｖｉｄ  Ｂｉｒｎｂａｕｍ  ｅｔ  ａｌ，１９９９年７月１３日。
【０００５】
【発明が解決しようとする課題】
しかしながら、上述した従来技術においては、背景画像の画像情報のうち、マゼンタ等の１色を抜くことにより、明らかに背景画像の色が変わってしまうため、版ずれが生じると、背景画像の変色が目立ってしまい高品位な印刷が得られないという問題がある。
【０００６】
本発明は、ブラックオーバープリント等の場合に、黒文字等に重なる消去すべき背景画像情報を所定パターンで消去することで、トナー剥れ等がなく高品位な画像形成を行うことができるプリンタ装置、画像形成装置及びプリンタ装置のプログラムを提供することを目的とする。
【０００７】
【課題を解決するための手段】
本発明は、与えられるＰＤＬ情報で画像形成を行うプリンタ装置であり、ＰＤＬ情報から背景画像情報と黒画素で描画される黒画像情報とを生成する生成部と、前記生成部で生成された前記背景画像情報から前記黒画像情報の領域に重なる画像情報の一部を消去する消去部と、前記一部が消去された前記背景画像情報と前記黒画像情報とに基づき、記録媒体上に画像形成を行う形成部とを具備することを特徴とするプリンタ装置である。
【０００８】
本発明は、上記した構成を有するプリンタ装置であり、トナー剥れ等を防止するブラックオーバープリント等の際に、黒画像情報の領域に重なる画像情報の一部を特定パターンに応じて消去（いわゆる間引き）するものであり、従来装置のように４色中の１色を抜く等のことを行わないため、背景色が変化することも無く高品位な画像形成を行うことができる。すなわち、このパターンは、消去ラインと非消去ラインとを反復させてもよいし、画像記録媒体に応じて決定することも好適である。これらのパターンは、状況に応じて選択され、最適な方法を取ることが可能となる。
【０００９】
【発明の実施の形態】
以下、図面を参照してこの発明の実施形態の画像形成装置を詳細に説明する。図１は、本発明の一実施の形態である画像形成装置の構造の一例を示すブロック図、図２は、画像形成装置の間引き処理の一例を示すフローチャート、図３は、画像形成装置が間引き処理を行おうとする背景画像情報の一例を示す図、図４は、画像形成装置が間引き処理を行おうとする背景画像情報に応じた黒オブジェクトの一例を示す図、図５は、画像形成装置が通常の背景画像の消去を行った場合の背景画像情報の一例を示す図、図６は、画像形成装置が通常の背景画像の消去を行った場合の後の背景画像情報の一例を示す図、図７は、画像形成装置が行う本発明に特有の間引きパターンの一例を示す図、図８は、本発明に特有の間引きパターンの他の一例を示す図、図９は、本発明に特有の間引きパターンの他の一例を示す図、図１０は、本発明に特有の間引きパターンの他の一例を示す図、図１１は、本発明に特有の間引きパターンの他の一例を示す図、図１２は、本発明に特有の間引きパターンの他の一例を示す図、図１３は、画像形成装置が間引き処理を行おうとする背景画像情報の一例を示す図、図１４は、画像形成装置が間引き処理を行おうとする背景画像情報に応じた黒オブジェクトの一例を示す図、図１５は、画像形成装置が本発明に特有の間引きパターンにより間引き処理を行った場合の後の背景画像情報の一例を示す図、図１６は、画像形成装置が本発明に特有の間引きパターンにより間引き処理を行い、黒画像を形成した場合の背景画像情報の一例を示す図、図１７は、画像形成装置がブラックオーバープリントの対象を１００％黒オブジェクトだけではなく、白成分を持つ１００％黒オブジェクトに拡張した場合の処理の具体例を示す説明図、図１８は、画像形成装置が行う、印刷媒体の種類、ハーフトーンスクリーンの種類、描画するオブジェクトの種類に応じた間引きパターンを示す図、図１９は、画像形成装置が行う、色変換種別、印字方向、１００％黒オブジェクトサイズの判定結果に応じた間引きパターンを示す図である。
【００１０】
（画像形成装置の構成）
図１に示されるブロック図において、本発明に係る画像形成装置であるデジタル複写機は、主制御部９０内のメインＣＰＵ（中央処理ユニット）９１と、カラースキャナ部４のスキャナＣＰＵ１００と、カラープリンタ部６のプリンタＣＰＵ１１０の３つのＣＰＵで構成される。メインＣＰＵ９１は、プリンタＣＰＵ１１０と、共有ＲＡＭ９５を介して双方向通信を行うものであり、メインＣＰＵ９１は動作指示を出し、プリンタＣＰＵ１１０は状態ステータスを返すようになっている。プリンタＣＰＵ１１０と、スキャナＣＰＵ１００はシリアル通信を行い、プリンタＣＰＵ１１０は動作指示を出し、スキャナＣＰＵ１００は状態ステータスを返すようになっている。
【００１１】
操作パネル８０は、メインＣＰＵ９１に接続されている。又、主制御部９０は、メインＣＰＵ９１、ＲＯＭ９２、ＲＡＭ９３、ＮＶＭ９４、共有ＲＡＭ９５、画像処理部（生成部、消去部）９６、ページメモリ制御部９７、ページメモリ９８、プリンタコントローラ９９、プリンタフォントＲＯＭ１２１及びＨＤＤ１２４によって構成されている。
【００１２】
メインＣＰＵ９１は、主制御部９０の全体を制御するものである。ＲＯＭ９２は、制御プログラムが記憶されている。ＲＡＭ９３は、一時的にデータを記憶するものである。
【００１３】
ＮＶＭ（持久ランダムアクセスメモリ：ｎｏｎｖｏｌａｔｉｌｅＲＡＭ）９４は、バッテリ（図示しない）にバックアップされた不揮発性のメモリであり、電源を切った時ＮＶＭ９４上のデータを保持するようになっている。
【００１４】
共有ＲＡＭ９５は、メインＣＰＵ９１とプリンタＣＰＵ１１０との間で、双方向通信を行うために用いるものである。
【００１５】
ページメモリ制御部９７は、ページメモリ９８に画像データを記憶したり、読出したりするものである。ページメモリ９８は、複数ページ分の画像データを記憶できる領域を有し、スキャナ部４からの画像データを圧縮したデータを１ページ分ごとに記憶可能に形成されている。
【００１６】
プリンタフォントＲＯＭ１２１には、プリントデータに対応するフォントデータが記憶されている。
【００１７】
プリンタコントローラ９９は、パーソナルコンピュータ等の外部機器１２２からのプリントデータを入力ポート１６を介してそのプリントデータに付与されている解像度を示すデータに応じた解像度でプリンタフォントＲＯＭ１２１に記憶されているフォントデータを用いて画像データに展開するものである。更に、外部インターフェース１２３は、外部装置１２２との各種信号の通信を行うものである。
【００１８】
スキャナ部４は、スキャナ部４の全体を制御するスキャナＣＰＵ１００、制御プログラム等が記憶されているＲＯＭ１０１、データ記憶用のＲＡＭ１０２、ＣＣＤセンサ３４を駆動するＣＣＤドライバ１０３、露光ランプ２５及びミラー２６、３０、３１等を移動するモータの回転を制御するスキャンナモータドライバ１０４、ＣＣＤセンサ３４からのアナログ信号をデジタル信号に変換するＡ／Ｄ変換回路とＣＣＤセンサ３４のばらつき、又は、周囲の温度変化などに起因するＣＣＤセンサ３４からの出力信号に対するスレッショルドレベルの変動を補正するためのシェーディング補正回路と、シェーディング補正回路からのシェーディング補正されたデジタル信号を一旦記憶するラインメモリからなる画像補正部１０５によって構成されている。
【００１９】
プリンタ部６は、プリンタ部６の全体を制御するプリンタＣＰＵ１１０、制御プログラム等が記憶されているＲＯＭ１１１、データ記憶用のＲＡＭ１１２、半導体レーザによる発光（露光）をオン／オフするレーザドライバ１１３、レーザユニットのポリゴンモータの回転を制御するポリゴンモータドライバ（モータ制御装置）１１４、搬送路による用紙の搬送を制御する紙搬送部１１５、帯電チャージャ４５、現像器ユニット４６、転写チャージャ４８を用いて帯電、現像、転写を行う現像プロセス部１１６、定着器ユニット６０を制御する定着制御部１１７及びオプション部１１８、又、出力ポート１３と、入力ポート１６と、本発明の実施形態であるカラー印字制御装置２０によって構成されている。
【００２０】
又、画像処理部９６、ページメモリ９８、プリンタコントローラ９９、画像補正部１０５、レーザドライバ１１３、共有ＲＡＭ９５は、画像データバス１２０によって接続されている。
【００２１】
このような構造を有する画像形成装置（プリンタ装置）においては、本発明に特有のブラックオーバープリント処理に伴う間引き処理は、メインＣＰＵ９１及びＨＤＤ１２４に格納されたプログラムの動作及び画像処理部９６の動作として実行されるものである。又は、画像処理部９６の回路構成により行われることも好適である。
【００２２】
なお、本発明は、デジタル複写機を用いて説明するが、主制御部９０とプリンタ部６と操作パネル８０からなるプリンタ装置として実現することも好適である。
【００２３】
（本発明の特徴である間引き処理の動作）
次に、本発明の特徴であるブラックオーバープリントに伴う間引き処理の一実施の形態を図２のフローチャートを用いて以下に説明する。初めに、ＰＣ等でプリンタドライバを用いてＰＤＬ（Ｐａｇｅ  Ｄｅｓｃｒｉｐｔｉｏｎ  Ｌａｎｇｕａｇｅ，  Ｐｏｓｔｓｃｒｉｐｔ  Ｌｅｖｅｌ  ３、ＰＣＬ−ＸＬ等）が生成される。ＰＤＬはネットワーク等の伝送媒体を経由し、外部インターフェース１２３等を介して、画像形成装置に送られ画像形成装置内部にファイルとして一旦蓄積される。ＲＩＰ（Ｒａｓｔｅｒ  Ｉｍａｇｅ  Ｐｒｏｃｅｓｓｏｒ）はまずＰＤＬファイルをオープンし（Ｓ１１）、ＰＤＬデータを読み込んで解析し（Ｓ１４）、低レベル描画コマンド（ディスプレイリスト）を生成する（Ｓ１５）。
【００２４】
生成された低レベル描画コマンドが、１００％黒で描画されるオブジェクトか判断し（Ｓ１６）、そうである場合はブラックオーバープリント（Ｂｌａｃｋ  Ｏｖｅｒ  Ｐｒｉｎｔ）用描画処理を行い（Ｓ２０乃至Ｓ２３）、それ以外の場合は通常処理である図３乃至図６に示す手順で通常処理を行う（Ｓ１７）。
【００２５】
すなわち、通常処理は、図３に示すように既に描画された背景部分に、図４で示される１００％黒で描画されるオブジェクトと重なる部分を、図５に示すように消去した後、図５の背景画像情報に対して、図６に示すように１００％黒オブジェクトを描画する。このとき、版ズレが生じると図６に示すように白抜け部分が発生するため、高品位な画像とはいいがたい状態となる。
一方、本発明に特有の間引き処理を伴うブラックオーバープリントによれば、１００％黒で描画されるオブジェクトである場合は、１００％黒オブジェクトと重なる部分全てを消去するのではなく、定着不良が起こらない限界を見極め、必要最低限の画素を消去（間引き）するものであり、これにより、定着不良を起こさず、同時に版ズレによる白抜けを軽減することが可能となる。又、消去する間引きパターンを複数用意しておき、様々な条件を考慮してそのパターンの中から最適なものを選択することで、高品質の印刷画質を得ることが可能となる。
【００２６】
ここで、図１８は、この間引きパターンのセットの一例を示しており、印刷媒体の種類、ハーフトーンスクリーンの種類、描画するオブジェクトの種類が決まることで間引きパターンが決定される。又、このテーブルはカスタマイズ可能であり可変でもある。
【００２７】
すなわち、メインＣＰＵ９１等の処理により、ハーフトーンスクリーンの種別、オブジェクトの種別、印刷媒体情報等を取得すると（Ｓ２０）、これらの取得情報から、図１８に示す間引きパターンのセットの中の一つの間引きパターンが決定される（Ｓ２１）。間引きパターンが決定された後、その間引きパターンで背景を間引く（消去）する（Ｓ２２）。
【００２８】
ここで、具体的な間引きパターンの例を図７乃至図１２に示している。図７のパターンは、用紙送り方向に垂直な方向の１ラインの消去ラインと２ラインの非消去ラインの反復を示している。図８のパターンは、用紙送り方向に垂直な方向の１ラインの消去ラインと１ラインの非消去ラインの反復を示している。図９のパターンは、用紙送り方向に垂直な方向の２ラインの消去ラインと１ラインの非消去ラインの反復を示している。図１０のパターンは、用紙送り方向に垂直な方向の２ラインの消去ラインと２ラインの非消去ラインの反復を示している。図１１のパターンは、用紙送り方向に並行な方向の１ラインの消去ラインと１ラインの非消去ラインの反復を示している。図１２のパターンは、間引くパターンをビット演算し周期性をもたせたものであり、演算処理による非消去領域と消去領域との所定の反復パターンを示している。
【００２９】
これら図７乃至図１２のパターンの適用例を、図１３乃至図１６を用いて以下に詳細に説明する。図１３は、画像形成装置が間引き処理を行おうとする背景画像情報の一例を示す図、図１４は、画像形成装置が間引き処理を行おうとする背景画像情報に応じた黒オブジェクトの一例を示す図であって、間引き処理が行なわれる領域を示している。図１５において、間引きパターン１を適用して間引き処理が行なわれた結果を示している。図１５において、間引き処理が適切に行なわれたものである。
【００３０】
なお、この時、間引かれる領域は、オブジェクトの描画開始位置ではなく背景である絶対座標で決定される。これはオブジェクト開始位置を使って消去すると間引きパターンに乱れが生じるためである。更に、図１６において、間引き処理した背景画像に、黒オブジェクトを描画した結果が示されている。ここで、１００％黒オブジェクトの左側に背景画像の一部が残り白抜けが目立たなくなっていることがわかる。更に、背景画像が間引かれることでトナー量が削減され定着不良も発生しなくなる。
【００３１】
より条件の厳しい印刷媒体であれば、間引き量を増やし逆に余裕があれば間引き量を減らすことで対応する。この様な方法で版ズレによる白抜けを防止し、かつトナーの定着不良を同時に防止することができる。
【００３２】
（他の間引きパターンの例）
又、図１９は、図１８の場合に代わる間引きパターンの決定表を示している。この表では、間引きパターンの決定要素として、色変換種別、印字方向、１００％黒オブジェクトサイズの判定結果を用いている。色変換種別は、出力画像の見栄えを決定する要因の一つで、この種別によって間引きパターンを切り換えることで、良好な印刷画質を得ることができる。印字方向による間引きパターンは、版ズレが用紙の搬送方向や、搬送方向に対して垂直な方向に偏って起こる場合の対策として有効である。背景の間引きを行なう際、間引きパターンによっては、間引きの周期などで、小さいオブジェクトには間引きが行われなかったり、白抜き部分が多くなりすぎブラックオーバープリントの効果がなくなってしまう場合がある。間引きパターンを１００％オブジェクトサイズの判定結果により決定することで、このような間引きの不適用を回避することができる。
【００３３】
（他の実施形態）
又、ブラックオーバープリントの対象を１００％黒オブジェクトだけではなく、白成分を持つ１００％黒オブジェクトに拡張した場合の具体例を図１７に示している。すなわち、図１７の（ａ）は、この具体例において描画する画像である。この画像では、背景のイエロー領域にイエロー成分を持つ１００％黒オブジェクトが一部重なるようにして描画されている。図１７の（ｂ−１）は、１００％黒オブジェクトのみを対象とするブラックオーバープリント処理でのイエロー平面の描画領域であり、１００％オブジェクトが重なっている領域が白抜き処理されている。又、図１７の（ｂ−２）は、１００％黒オブジェクトのみを対象とするブラックオーバープリント処理であり、イエローの版ズレが左方向に起こった場合の印刷画像である。
【００３４】
更に、図１７の（ｃ−１）は、カラー成分を持つ１００％黒オブジェクトを対象としたブラックオーバープリント処理でのイエロー平面の描画領域、図１７の（ｃ−２）は、イエローの版ズレが左方向に起こった場合の印刷画像である。本発明による間引き処理によれば、図１７の（ｃ−２）より、色成分を持つ１００％黒オブジェクトを対象とするブラックオーバープリントでは、背景が描かれていない１００％黒オブジェクトと他のオブジェクトが接する場合でも、白抜けが生じることなく高品質の画像形成を行うことができる。
【００３５】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００３６】
【発明の効果】
以上詳述したように本発明によれば、版ズレ時の白抜け対策として用いられるブラックオーバープリントを使用した場合に発生するトナー剥がれやドラム巻き付きを防止すると同時に、本発明に特有の背景画像の間引き処理により、画像形成時の処理時間に対する影響は殆どなく印刷パフォーマンスへの影響も少なく、さらに印刷媒体に応じた間引き量を設定することができ、効率的で高画質な画像形成が可能なプリンタ装置、画像形成装置及びプリンタ装置のプログラムを提供することができる。
【図面の簡単な説明】
【図１】本発明の一実施の形態である画像形成装置の構造の一例を示すブロック図。
【図２】本発明の一実施の形態である画像形成装置の間引き処理の一例を示すフローチャート。
【図３】本発明の一実施の形態である画像形成装置が間引き処理を行おうとする背景画像情報の一例を示す図。
【図４】本発明の一実施の形態である画像形成装置が間引き処理を行おうとする背景画像情報に応じた黒オブジェクトの一例を示す図。
【図５】本発明の一実施の形態である画像形成装置が通常の背景画像の消去を行った場合の背景画像情報の一例を示す図。
【図６】本発明の一実施の形態である画像形成装置が通常の背景画像の消去を行った場合の後の背景画像情報の一例を示す図。
【図７】本発明の一実施の形態である画像形成装置が行う本発明に特有の間引きパターンの一例を示す図。
【図８】本発明の一実施の形態である画像形成装置が行う本発明に特有の間引きパターンの他の一例を示す図。
【図９】本発明の一実施の形態である画像形成装置が行う本発明に特有の間引きパターンの他の一例を示す図。
【図１０】本発明の一実施の形態である画像形成装置が行う本発明に特有の間引きパターンの他の一例を示す図。
【図１１】本発明の一実施の形態である画像形成装置が行う本発明に特有の間引きパターンの他の一例を示す図。
【図１２】本発明の一実施の形態である画像形成装置が行う本発明に特有の間引きパターンの他の一例を示す図。
【図１３】本発明の一実施の形態である画像形成装置が間引き処理を行おうとする背景画像情報の一例を示す図。
【図１４】本発明の一実施の形態である画像形成装置が間引き処理を行おうとする背景画像情報に応じた黒オブジェクトの一例を示す図。
【図１５】本発明の一実施の形態である画像形成装置が本発明に特有の間引きパターンにより間引き処理を行った場合の後の背景画像情報の一例を示す図。
【図１６】本発明の一実施の形態である画像形成装置が本発明に特有の間引きパターンにより間引き処理を行い、黒画像を形成した場合の背景画像情報の一例を示す図。
【図１７】本発明の一実施の形態である画像形成装置がブラックオーバープリントの対象を１００％黒オブジェクトだけではなく、白成分を持つ１００％黒オブジェクトに拡張した場合の処理の具体例を示す説明図。
【図１８】本発明の一実施の形態である画像形成装置が行う、印刷媒体の種類、ハーフトーンスクリーンの種類、描画するオブジェクトの種類に応じた間引きパターンを示す図。
【図１９】本発明の一実施の形態である画像形成装置が行う、色変換種別、印字方向、１００％黒オブジェクトサイズの判定結果に応じた間引きパターンを示す図。
【符号の説明】４…スキャナ部、６…プリンタ部、９０…主制御部、９６…画像処理部（特定パターン消去部）。
【図１】
2005039422.tif 000003
【図２】
2005039422.tif 000004
【図３】
2005039422.tif 000005
【図４】
2005039422.tif 000006
【図５】
2005039422.tif 000007
【図６】
2005039422.tif 000008
【図７】
2005039422.tif 000009
【図８】
2005039422.tif 000010
【図９】
2005039422.tif 000011
【図１０】
2005039422.tif 000012
【図１１】
2005039422.tif 000013
【図１２】
2005039422.tif 000014
【図１３】
2005039422.tif 000015
【図１４】
2005039422.tif 000016
【図１５】
2005039422.tif 000017
【図１６】
2005039422.tif 000018
【図１７】
2005039422.tif 000019
【図１８】
2005039422.tif 000020
【図１９】
2005039422.tif 000021